(57)【要約】【課題】連続番組の予約情報に関して、一日毎の予約実行の予定を一覧表示することが可能な放送記録装置及び放送記録方法を提供する。【解決手段】放送信号を受信しこれを復調して番組の番組信号を出力するチューナ部と、チューナ部が出力した番組信号を記録する記録部と、チューナ部及び記録部により録画を実行するための連続番組の録画予約の予約情報を設定する予約設定部と、連続番組の予約情報に応じた、複数の日毎の録画予定情報に展開して表示する画面を生成する連続予約番組表示部をもつ放送記録装置。【選択図】図１
2007221732.tif 000002
【特許請求の範囲】
【請求項１】
放送信号を受信しこれを復調して番組の番組信号を出力するチューナ部と、
前記チューナ部が出力した前記番組信号を記録する記録部と、
前記チューナ部及び前記記録部により録画を実行するための連続番組の録画予約の予約情報を設定する予約設定部と、
前記連続番組の予約情報に応じた、複数の日毎の録画予定情報に展開して表示する画面を生成する連続予約番組表示部と、を具備することを特徴とする放送記録装置。
【請求項２】
前記放送信号から電子番組情報を取り込む通信部を更に具備し、
前記連続予約番組表示部は、前記通信部からの前記電子番組情報及び他の予約情報に基づいて、前記連続予約番組表示部の複数の日毎の録画予定情報ごとに予約実行可否を判断して表示することを特徴とする請求項１記載の放送記録装置。
【請求項３】
前記連続予約番組表示部は、当該予約情報に重複する他の予約情報の存在を示すマークを前記画面に表示するべく画面を生成することを特徴とする請求項１記載の放送記録装置。
【請求項４】
前記予約設定部は、前記放送信号の連続番組についての予約情報を設定することを特徴とする請求項１記載の放送記録装置。
【請求項５】
前記予約設定部は、前記設定した連続番組についての予約情報が他の予約と重複している場合、前記設定した連続番組についての予約情報は削除せず、前記設定した連続番組の予約情報の内の重複部分だけを削除することを特徴とする請求項１記載の放送記録装置。
【請求項６】
前記連続予約番組表示部は、ＰＰＶ番組やパレンタルレートが設定されている番組はその表示を行い、現在の設定で予約が実行されない場合はその旨を示す表示を行なうことを特徴とする請求項１記載の放送記録装置。
【請求項７】
前記連続予約番組表示部は、前記通信部が前記放送信号に関する番組情報を検出できない場合、その旨を表示する画面を生成することを特徴とする請求項１記載の放送記録装置。
【請求項８】
前記予約情報が示す時刻になったら前記放送信号の番組信号を前記記録部に記録するべく制御し、前記通信部が取り込んだ前記番組情報から前記予約設定部が設定した前記予約情報が見つからない場合は、前記予約情報の予約録画を中断するべく制御する予約録画部を更に有することを特徴とする請求項１記載の放送記録装置。
【請求項９】
放送信号を受信しこれを復調して番組の番組信号を出力するチューナ部と、前記番組信号を記録する記録部とにより行なう連続番組の録画予約の予約情報を設定し、
前記放送信号に関する番組情報を取り込み、
前記連続番組の複数の予約情報を時系列に列記し、前記番組情報及び他の予約情報に基づいて前記複数の予約情報毎に予約実行可否を判断して表示する画面を生成することを特徴とする放送記録方法。
【請求項１０】
前記放送信号から電子番組情報を取り込み、
前記電子番組情報及び他の予約情報に基づいて、前記連続予約番組表示部の複数の日毎の録画予定情報ごとに予約実行可否を判断して表示することを特徴とする請求項９記載の放送記録方法。
【請求項１１】
当該予約情報に重複する他の予約情報の存在を示すマークを前記画面に表示するべく画面を生成することを特徴とする請求項９記載の放送記録方法。
【請求項１２】
前記放送信号の連続番組についての予約情報を設定することを特徴とする請求項９記載の放送記録方法。
【請求項１３】
前記設定した連続番組についての予約情報が他の予約と重複している場合、前記設定した連続番組についての予約情報は削除せず、前記設定した連続番組の予約情報の内の重複部分だけを削除することを特徴とする請求項９記載の放送記録方法。
【請求項１４】
ＰＰＶ番組やパレンタルレートが設定されている番組はその表示を行い、現在の設定で予約が実行されない場合はその旨を示す表示を行なうことを特徴とする請求項９記載の放送記録方法。
【請求項１５】
前記放送信号に関する番組情報を検出できない場合、その旨を表示する画面を生成することを特徴とする請求項９記載の放送記録方法。
【請求項１６】
前記予約情報が示す時刻になったら前記放送信号の番組信号を記録するべく制御し、前記番組情報から前記予約情報が見つからない場合は、前記予約情報の予約録画を中断するべく制御することを特徴とする請求項９記載の放送記録方法。
【発明の詳細な説明】
【技術分野】
【０００１】
この発明は、放送番組情報を記録する放送記録装置に関し、特に、次回の番組の録画予約を容易に行なうことができる放送記録装置及び放送記録方法に関する。
【背景技術】
【０００２】
最近、デジタル機器の普及と共にハードディスクレコーダ等の放送受信装置が一般化しつつあり、従来のＶＴＲ（Video Tape Recorder）による記録再生処理の場合よりも、多くの映像情報を容易に記録・再生することが可能となってきている。このような放送受信装置においては、放送局又はサーバから供給される電子番組情報（Electronic Program Guide）を活用して、留守録画処理を更に容易に行うことが可能となってきている。このため、予約録画が容易になっており、多くの録画予約のための工夫がなされてきている。
【０００３】
ここで、特許文献１、特許文献２、特許文献３は、それぞれ、予約が重複した場合にその事実を知らせる情報記録装置を開示するものである。
【特許文献１】特願２００３−１６９２６４公報。
【特許文献２】特開平９−１８０２９２公報。
【特許文献３】特開２００５−１４２７６１公報。
【発明の開示】
【発明が解決しようとする課題】
【０００４】
しかし、上記した特許文献１乃至３の従来技術においては、連続番組の予約情報につき、例えば５日連続の予約情報のうちの一つだけ他の予約情報と重複していたとしても、全体が重複しているかのように表示されるため、この重複を解除するためには全ての連続番組の予約情報を解除しなければならないという問題がある。
【０００５】
本発明は、連続番組の予約情報につき、一日毎の予約実行を一覧表示することが可能な放送記録装置及び放送記録方法を提供することを目的とする。
【課題を解決するための手段】
【０００６】
本発明の一実施形態は、放送信号を受信しこれを復調して番組の番組信号を出力するチューナ部と、前記チューナ部が出力した前記番組信号を記録する記録部と、前記チューナ部及び前記記録部により録画を実行するための連続番組の録画予約の予約情報を設定する予約設定部と、前記連続番組の予約情報に応じた、複数の日毎の録画予定情報に展開して表示する画面を生成する連続予約番組表示部とを具備することを特徴とする放送記録装置である。
【発明の効果】
【０００７】
連続番組の予約情報に関して、一日毎の予約実行の予定を一覧表示させること可能とする放送記録装置及び放送記録方法を提供する。
【発明を実施するための最良の形態】
【０００８】
以下、この発明の実施の形態について図面を参照して詳細に説明する。  
図１は、本発明の一実施形態に係る放送記録装置の構成の一例を示すブロック図、図２は、同じく放送記録装置における予約リストの一例を示す説明図、図３は、同じく放送記録装置における予約内容確認取消のための操作画面の一例を示す説明図、図４は、同じく放送記録装置における連ドラ予約番組確認画面の一例を示す説明図、図５は、同じく放送記録装置における連ドラ予約リスト変遷の一例を示す説明図、図６は、同じく放送記録装置における連ドラ予約番組確認画面の一例を示す説明図、図７は、同じく放送記録装置における予約が実行できない場合の表示の一例を示す説明図である。
【０００９】
＜本発明の一実施形態に係る放送記録装置＞
（構成）
初めに、図１の放送受信装置１０は、一例として、チューナ等をソースとして記録機能を有するデジタルテレビジョンが示されている。又、放送受信装置１０は、チューナ等と記録機能とをもったハードディスクレコーダであることも好適である。
【００１０】
従って、以下の図１を用いた実施形態の説明においては、記録機能をもったデジタルテレビジョンとして詳細に説明を行なうが、図１から受像機４１を分離することで、全く同様の機能をもったハードディスクレコーダとしての説明と解釈することが可能である。
【００１１】
図１において、デジタルテレビジョンである放送受信装置１０は、２種類のディスクドライブを有する。第1のメディアとしてハードディスクＨを駆動するハードディスクドライブ部１９と、第２のメディアとしてビデオファイルを構築できる情報記録媒体である光ディスクＤを回転駆動し、情報の読み書きを実行する光ディスクドライブ部１９を有している。又、制御部３０は、全体の動作を司るべくデータバスＢを介して各部に接続されている。しかし、本発明を実施する場合において、光ディスクドライブ部１９は必ずしも必要な構成ではない。
【００１２】
又、図１の放送受信装置１０は、録画側を構成するエンコーダ部２１と、再生側を構成するＭＰＥＧデコーダ部２３と、装置本体の動作を制御する制御部３０とを主たる構成要素としている。放送受信装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）、デジタルチューナ部１２と、いわゆる地上波デジタル／アナログチューナ部１３とが接続され、エンコーダ部２１に信号を出力する。又、ＢＳ／ＣＳ、デジタルチューナ部１２には衛星アンテナが、地上波デジタル／アナログチューナ部１３には地上波アンテナが接続されている。又、放送受信装置１０は、エンコーダ部２１と、エンコーダ部２１の出力を受け、データ編集等の所望のデータ処理を行う信号編集部２０、信号編集部２０に接続されるハードディスクドライブ部１８、光ディスクドライブ部１９を有している。更に、放送受信装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、予約録画部４２、番組表生成部４３を有している。これらの各部は、データバスＢを介して制御部３０に接続されている。更に、セレクタ部１７の出力は、受像機４１に供給されるか、外部装置との通信を行うインタフェース部２７を介して、外部装置に供給される。
【００１３】
更に、放送受信装置１０は、データバスＢを介して制御部３０に接続され、ユーザの操作やリモコンＲの操作を受ける操作部３２を有している。ここで、図７に示すリモコンＲは、放送受信装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１４】
更に、本発明の一実施形態である連ドラ予約キーＹが設けられている。なお、連ドラ予約キーＹは、必ずしもこの名称である必要はなく、例えば、次回番組予約キーＹであってもよく連続番組予約キーＹであってもよく、直ちに次回の番組や連続番組の予約を可能とする操作キーであることが好適である。
【００１５】
（番組情報提供サーバ）
又、更に、放送受信装置１０に通信部１１等を介して番組情報を提供する番組情報提供サーバＳについて説明する。番組情報提供サーバＳは、放送番組名を識別するための番組識別情報と、この番組識別情報に対応した番組の放送時刻情報（例えば、放送開始時刻と放送時間、又、無料番組情報等を含む）とを含む番組情報を入力する番組情報登録部５１と、番組情報登録部５１で入力された番組情報を格納する番組情報格納部５２と、番組情報格納部５２に格納された情報をネットワーク等を介して、所望の端末に送信する通信部５３とを有している。
【００１６】
このような構成を有する番組情報提供サーバＳは、一般に、サービスを提供する組織の施設として設けられるものであり、予め、放送番組と放送番組の番組識別情報と放送時刻情報を含む番組情報がアップロードされている。そして、この番組情報に変更が生じると、即座に番組情報登録部５１により変更情報を入力して、番組情報格納部５２の更新処理を行う。この時、すでに番組情報提供サーバＳに保持された番組情報と同一の番組識別情報をもつ番組情報が入力された場合、番組情報提供サーバＳは、番組情報格納部５２に保持された番組情報を最新のものに置き換えるものである。
【００１７】
番組情報提供サーバＳは、通信部５３を介して、例えばインターネットを中継しモデムＭを介して、又は図１に示すように、番組情報を放送局Ｔに提供し、放送局Ｔの放送信号（地上波デジタル、地上波アナログ、衛星放送デジタル、衛星放送アナログ等）に重畳させて放送受信装置１０に番組情報等を提供するものである。
【００１８】
（基本動作）
・放送コンテンツ再生
このような構成の、デジタルテレビジョンである放送受信装置１０において、ユーザのリモコンＲ又は操作部３２の操作に応じた操作信号に従って、制御部３０等の制御下において、放送信号を受信しＢＳ／ＣＳチューナ１２又は地上波デジタル／アナログチューナ部１３からの放送コンテンツを受像機４１に表示する。
【００１９】
・記録処理
次に、記録時の動作について、他の実施形態も含めて詳細に説明する。放送受信装置１０の入力側として、ＬＡＮ等の通信部１１は、外部機器と接続して、例えばモデム等を介しインターネット等の通信路を経由して番組情報提供サーバ等と通信を行ったり、放送コンテンツ等をダウンロードしたりする。又、ＢＳ／ＣＳデジタルチューナ部１２、地上波デジタル／アナログチューナ部１３は、アンテナを介して放送信号を選局し復調して映像信号及び音声信号を入力するもので、広範な種類の放送信号に対応する。例えば、地上波アナログ放送、地上波、デジタル放送、ＢＳアナログ放送、ＢＳ、デジタル放送、ＣＳ、デジタル放送等に及ぶものであり、これに限るものではない。又、必ずしも一つだけを設けるものではなく、例えば、地上波放送のチューナ部や、ＢＳ／ＣＳチューナ部を２つ又は３つ以上を有し、予約録画の要求に応じて平行して機能させる場合も含んでいる。
【００２０】
又、先の通信部１１は、ＩＥＥＥ１３９４インタフェースであってもよく、ネットワーク上の外部機器から、デジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００２１】
エンコーダ部２１は、セレクタ１６により入力されたアナログビデオ信号やアナログオーディオ信号を、デジタル化するビデオ用及びオーディオ用のアナログ、デジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００２２】
又、ＢＳ／ＣＳデジタルチューナ１２等は、必ずしも内蔵されている必要はなく、データ入力端子を介して外付けされて、受信したデジタル信号をセレクタ部１６を介してエンコーダ部２１や制御部３０に供給することも好適である。
【００２３】
ここで図１の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８や光ディスクＤに記録された情報を、制御部３０、光ディスクドライブ部１９を介して光ディスクＤやハードディスクドライブ部１８に記録することもできる。
【００２４】
信号編集部２０により、ハードディスクドライブ部１８や光ディスクＤに記録されている複数番組のビデオ・オブジェクトを、一部削除したり、異なる番組のオブジェクトをつなげたり、といった編集処理を行うこともできる。
【００２５】
・再生処理等  
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２６】
ＭＰＥＧデコーダ部２３の出力オーディオ信号は、セレクタ部１７を介して図示しない、デジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からの、デジタル信号を直接モニタする時、エンコーダ部２１をスルーした信号を直接選択することも可能である。
【００２７】
・予約録画処理
又、通信部１１やチューナ１２，１３から取得した電子番組情報に基づいて、予約録画部（番組表生成部）４３によりユーザのリモコンＲ等の操作により特定した番組に応じて、録画予約処理が可能であると共に、取得した電子番組情報に基づく番組表を画面表示することが可能となる。又、予約された予約録画情報に基づいて、制御部３０及び番組表生成部４３の働きにより、予約時刻になると、ＢＳ／ＣＳデジタルチューナ部１２又は地上波デジタル／アナログチューナ部１３が受信した番組情報が復調された映像音声信号が、エンコーダ２１等のエンコード処理を経て、例えば、ハードディスクドライブ部１８に記録（予約録画）される。
【００２８】
この実施形態の放送受信装置１０は、このように総合的な機能を有しており、複数のソースに対して光ディスクＤ又はハードディスクドライブ部１８による記録・再生処理を行うものである。
【００２９】
＜本発明の一実施形態に係る連ドラ予約番組表示処理＞
次に、本発明の一実施形態に係る連ドラ予約番組表示処理を図２乃至図４の説明図、図５及び図６のフローチャート、図７の説明図を用いて以下に詳細に説明する。
【００３０】
現行の放送受信機は、蓄積機能を内蔵し、番組信号の録画・再生機能を備えており、定期的に放送される番組を一回の予約設定で、毎話予約し続ける毎回予約機能を搭載している。更に、近年の毎回予約機能には、設定されたチャンネルを設定された時間に予約録画するだけでなく、予約された番組の放送時間が変更された場合、番組情報を利用し（例えば、タイトルや放送時間帯等で、所望の番組を検出し）、変更された放送時間に追従して予約を実行する機能もある。
【００３１】
しかし、このような毎回予約は、所望の番組が検出できなかった場合や、予約時間が変動したために、他の予約の時間と重複し、一方の予約が実行できなくなるといった問題が発生するため、ユーザの予期した予約が実行できない場合がある。
【００３２】
本発明の一実施形態においては、毎回予約の実行スケジュールを一覧表示することで、予約実行される番組の情報や、予約実行の可否をユーザに提示する機能を有している。
【００３３】
（予約内容確認処理）
初めに、上記の放送受信装置１０において、予約録画部４２により、例えば、番組情報提供サーバＳから供給される電子番組表を用いて、図２に示すような予約リストを生成し、録画予約処理が行なわれる。ここでは、単一の録画予約だけではなく、上から４列目の『八百八町』や６列目の連続ドラマのように、『連ドラモード』による録画予約処理がなされている。
【００３４】
この予約内容は、図３の『予約内容確認／取り消し』画面により、例えば、連ドラモードの予約内容の確認を行なうことができる。ここで、予約録画部４２及び連ドラ予約番組表示部４３の働きにより、現在の予約情報・他の予約情報及び電子番組情報に基づき、全ての予約情報の実行可否について判断を行なう。そして、予約が重複する回があれば、図３の画面上に『重複する回があります。操作を選択して下さい。』として警告表示を行なう。更に、『連ドラ予約取り消し』、『連ドラ予約番組確認』、『録画設定』の操作をアイコン表示により促すものである。
【００３５】
ユーザがリモコンＲ等の操作により、『連ドラ予約番組確認』を押下すると、図４に示すような『連ドラ予約番組確認画面』が表示される。この画面は、１月９日〜１月１３日までの連続予約の状況を総合的に一覧表示するものである。
【００３６】
ここでは、特に三日目である１月１１日の番組だけが、他の予約と重複していることを重複マークＭで知ることができる(ステップＳ１)。しかし、番組情報がなく該当タイトルが検出されない場合は、初期状態はチェックあり、追跡基準の時間帯を予約実行となり、『番組情報がありません』と表示される(ステップＳ２)。更に、番組情報はあるが、検索条件に合致する番組が検出できない場合は、初期状態はチェックなし、チェックされたら追跡基準の時間帯を予約実行され、『該当情報がありません』と表示される(ステップＳ３)。
【００３７】
（予約内容確認処理：連ドラ予約番組確認画面）
次に、連ドラ予約番組確認画面による予約内容確認処理について、図６を用いて説明する。連ドラ予約番組確認画面において、カーソルは、初めに１行目の予約情報を特定している(ステップＳ１１)。次に、カーソルを２行目(ステップＳ１２)に移動し、例えば、番組説明を指定すると、特定された番組の番組説明情報が画面表示される(ステップＳ１６)。更に、カーソルを３行目(ステップＳ１３)に移動すると(ステップＳ１３)、重複マークＭが表示されており予約が重複しているため、『他の予約と時間が重なっています。他の要約を取り消しますか』という質問アイコンが表示される(ステップＳ１４)。
【００３８】
ここで『はい』とリモコンＲ等でアイコン操作すると、現在、重複されている『予約１』を示す『重複予約取り消し画面』が表示される(ステップＳ１８)。この画面において、『重なっている番組を取り消しますか』という問に対して『はい』と答えると(ステップＳ１８)、『連ドラ予約番組確認画面』となり(ステップＳ１９)、重複が解消され、予約実行可能になれば、実行不可アイコンは消去される。
【００３９】
（他の表示機能）
又、本発明の一実施形態としての他の表示機能として、図７に示すように、待機状態又は電源『切』状態から(ステップＳ２１)、電源を投入すると、『予約の時間が重なっているため、実行できない予約があります。予約リストで確認して下さい』と表示される(ステップＳ２２)。ここで、『決定』か『青』を押すことで、通常の受信画面となる(ステップＳ２３)。
【００４０】
同様に図７に示すように、待機状態又は電源『切』状態から(ステップＳ２４)、電源を投入すると、『視聴年齢制限設定により、実行できない予約があります。予約リストで確認して下さい』と表示される(ステップＳ２５)。ここで、『決定』か『青』を押すことで、通常の受信画面となる(ステップＳ２６)。
【００４１】
このように電源を投入した直後により、状況を表示説明することによって、ユーザは録画予約の現在の状況を確実に認識することが容易となるものである。
【００４２】
（その他の機能）
又、図２の二段目の予約行に示すように、連ドラ予約番組表示部４３は、ＰＰＶ（ペイパービュー）番組やパレンタルレートが設定されている番組はその表示を行い、現在の設定で予約が実行されない場合はその旨を示す表示を行なうものである。
【００４３】
又、連ドラ予約番組表示部４３は、通信部１１等が放送信号に関する番組情報を検出できない場合、その旨を表示する画面を生成することも好適である。
【００４４】
又、連ドラ予約番組表示部４３は、予約情報が示す時刻になったら放送信号の映像音声信号を記録部に記録するべく制御し、通信部が取り込んだ番組情報から予約設定部が設定した予約情報が見つからない場合は、予約情報の予約録画を中断するべく制御することが好適である。
【００４５】
（放送受信装置への適用）
又、これらのフローチャートで説明した処理は、上述した放送受信装置１０だけに適用が可能ではなく、例えば、録画機能を有した放送受信装置１０であるハードディスクレコーダ等において、同様に適用が可能である。
【００４６】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４７】
【図１】本発明の一実施形態に係る放送記録装置の構成の一例を示すブロック図。
【図２】同じく放送記録装置における予約リストの一例を示す説明図。
【図３】同じく放送記録装置における予約内容確認取消のための操作画面の一例を示す説明図。
【図４】同じく放送記録装置における連ドラ予約番組確認画面の一例を示す説明図。
【図５】同じく放送記録装置における連ドラ予約リスト変遷の一例を示す説明図。
【図６】同じく放送記録装置における連ドラ予約番組確認画面の一例を示す説明図。
【図７】同じく放送記録装置における予約が実行できない場合の表示の一例を示す説明図。
【符号の説明】
【００４８】
１１…通信部、１２…ＢＳ／ＣＳチューナ部、１３…地上波チューナ部、１８…ハードディスクドライブ部、１９…光ディスクドライブ部、２０…データ編集部、２１…エンコーダ部、２２…バッファ部、２３…ＭＰＥＧデコーダ部、２４…音声映像処理部、２７…Ｉ／Ｆ部、２８…多重化部、２９…分離部、３０…制御部、３２…操作部、３３…表示部、Ｒ…リモコン、４１…受像機、４２…予約録画部、４３…番組表生成部、連ドラ予約番組表示部。
【図１】
2007221732.tif 000003
【図２】
2007221732.tif 000004
【図３】
2007221732.tif 000005
【図４】
2007221732.tif 000006
【図５】
2007221732.tif 000007
【図６】
2007221732.tif 000008
【図７】
2007221732.tif 000009